(57)【要約】【課題】  ＰＡＬ方式の放送信号に対応した液晶表示装置においても、画素の大きさ等に適応して十分な表示応答性を確保することができるようなＯＳ駆動回路を提供する。【解決手段】  ＰＡＬ方式の放送信号に対応した液晶表示装置においては、画素の大きさ等を考慮してＯＳ駆動回路の駆動量を大きめに設定する。【選択図】          図１
2006174272.tif 000002
【特許請求の範囲】
【請求項１】
ＰＡＬ方式の放送信号を受信し液晶表示パネルに表示する液晶表示装置であって、
ユーザの映像調整指示に基づき、入力画像データに対して所定の映像調整処理を施す映像処理手段と、
少なくとも１垂直期間前後における前記入力画像データの階調遷移に応じて、前記液晶表示パネルの光学応答特性を補償する強調変換データを求める書込階調決定手段とを備え、
前記書込階調決定手段は、前記ユーザによる映像調整指示内容に基づいて、前記強調変換データと前記入力画像データとのいずれか一方を選択的に切換え、表示画像データとして前記液晶表示パネルに供給することを特徴とする液晶表示装置。
【請求項２】
前記液晶表示パネルは、５４０本の画素列を有するマトリックス型の液晶表示パネルであり、
前記液晶表示装置は、前記映像処理手段により、ＰＡＬ方式の放送信号として受信される５７６本の走査線を有するインターレース方式の映像信号を受信し、該５７６本の走査線を有するインターレース方式の映像信号を５４０本の走査線を有するプログレッシブ方式の映像信号に変換し、前記液晶表示パネルに表示するものであり、
前記書込階調決定手段は、前記液晶表示パネルの画素面積に応じてその光学応答特性を補償する強調変換データを求めることを特徴とする請求項１に記載の液晶表示装置。
【請求項３】
前記液晶表示パネルは、５４０本の画素列を有するマトリックス型の液晶表示パネルであり、
前記液晶表示装置は、前記映像処理手段により、ハイビジョン方式の放送信号として受信される１０８０本の走査線を有するインターレース方式の映像信号を受信し、該１０８０本の走査線を有するインターレース方式の映像信号を５４０本の走査線を有するプログレッシブ方式の映像信号に変換し、前記液晶表示パネルに表示するものであり、
前記書込階調決定手段は、前記液晶表示パネルの画素面積に応じてその光学応答特性を補償する強調変換データを求めることを特徴とする請求項１に記載の液晶表示装置。
【発明の詳細な説明】
【技術分野】
【０００１】
本発明は、ＰＡＬ方式の放送を受信し表示する液晶表示装置に関し、特に、オーバーシュート駆動方式により映像調整を行う液晶表示装置に関するものである。
【背景技術】
【０００２】
近来、パーソナルコンピュータやテレビ受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
液晶表示装置は二つの基板の間に注入されている異方性誘電率を有する液晶層に電界を印加し、この電界の強さを調節して基板を透過する光の量を調節することによって所望の画像信号を得る表示装置である。このような液晶表示装置は携帯の簡便なフラットパネル型ディスプレイのうちの代表的なものであり、この中でも薄膜トランジスタ（ＴＦＴ）をスイッチング素子として用いたＴＦＴ液晶表示装置が主に用いられている。最近は、液晶表示装置がコンピュータのディスプレイ装置だけでなく、テレビ受信機のディスプレイ装置として広く用いられるため、動画像を具現する必要が増加してきた。しかしながら、従来の液晶表示装置は応答速度が遅いために動画像を具現するのは難しいという短所があった。
【０００４】
このような液晶の応答速度の問題を改善するために、１フレーム前の入力画像信号と現フレームの入力画像信号の組み合わせに応じて、予め決められた現フレームの入力画像信号に対する階調電圧より高い（オーバーシュート（overshoot）された）駆動電圧或いはより低い（アンダーシュートされた）駆動電圧を液晶表示パネルに供給する液晶駆動方法が知られている。以下、本願明細書においては、この駆動方式をオーバーシュート（ＯＳ）駆動と定義する。
【０００５】
従来のオーバーシュート駆動回路の概略構成を図１０に示す。図１０において、オーバーシュート駆動回路は、これから表示するＮ番目のフレームの入力画像データ（Current Data）と、フレームメモリ１に保存されたＮ−１番目のフレームの入力画像データ（Previous Data）とを強調変換部２に読み出し、両データの階調遷移パターンとＮ番目のフレームの入力画像データとを、ＯＳテーブルメモリ（ＲＯＭ）３に保存されている付加電圧データ一覧表と照合し、照合して見つけ出した印加電圧データ（強調変換パラメータ）に基づいてＮ番目のフレームの画像表示に要する書込階調信号（強調変換データ）を決定し、液晶表示パネル４に印加する構成となっている。すなわち、強調変換部２とＯＳテーブルメモリ３とが書込階調を決定する手段を構成している。
【０００６】
ここで、上述のＯＳテーブルメモリ３に格納されている印加電圧データは、液晶表示パネル４の光学応答特性の実測値から予め得られるものであり、例えば表示信号レベル数すなわち表示データ数が８ビットの２５６階調である場合、図１１に示すように、２５６の全ての階調に対する印加電圧データを持っていても良いし、例えば６４階調毎の５つの代表階調、或いは３２階調毎の９つの代表階調についての実測値（強調変換パラメータ）のみを記憶しておき、その他の印加電圧データについては、上記実測値から線形補完等の演算で求めるようにしても良い。
【０００７】
一般的に液晶表示パネルにおいては、ある中間調から別の中間調に変更させる時間は長く、中間調を１フレーム（例えば６０Ｈｚのプログレッシブスキャンの場合は１６．７ｍｓｅｃ）内に表示することができず、残像が発生するだけでなく、中間調を正しく表示することができないという課題があった。これに対して、図１０に示すようなオーバーシュート駆動回路を用いることにより、図１２に示すように、目標の中間調を短時間で表示することが可能となる。
【０００８】
【特許文献１】特開２００２−６２８５０号公報。
【特許文献２】特開２００４−１４５１７５号公報。
【発明の開示】
【発明が解決しようとする課題】
【０００９】
しかしながら、上記した従来の液晶表示装置はパソコンのＸＧＡまたはＷ−ＸＧＡ等の表示解像度に対応して設計されたものである。同様の技術を、ＰＡＬ方式やＳＥＣＡＭ方式の放送を受信し表示する液晶表示装置に適用しようとすると、以下のような問題が生じる。
【００１０】
ＰＡＬ方式の放送信号は、走査線数が５７６本のインターレース方式を標準仕様としており、これをパソコンのＸＧＡまたはＷ−ＸＧＡ解像度の液晶表示装置に表示しようとすると、走査線数が違うため、走査線間の演算を伴うスケーリングをする必要が出てくるが、走査線間演算を行うスケーリングをすると、解像度が落ちるという問題が生じる。
【００１１】
このため、ＰＡＬ／ＳＥＣＡＭの走査線数に最適化した表示パネルを使った表示装置が考えられるが、そのような表示装置においては、以下のような問題が生じる。
【００１２】
第１には、これに対応した液晶表示装置は、ＸＧＡまたはＷ−ＸＧＡ方式対応のものに比べて解像度が低く、画素面積が大きくなってしまう。例えば、１３６６×７６８ドットのＷ−ＸＧＡ方式の表示パネルと９６０×５４０の表示パネルとを比較すると、後者の画素面積は前者の画素面積の約２倍となる。このように解像度が低く、画素面積が大きい液晶表示装置では、画素電極間のコンデンサの容量が大きくなることが予想される。また、画素を駆動するということは、画素電極で挟まれた液晶物質の配向方向を変えるということであるので、画素面積が大きくなるに伴い液晶物質を運動させるのに必要な運動エネルギーが増大することになることが予想される。
【００１３】
したがって、ＰＡＬ方式の放送信号に対応した液晶表示装置は、我が国で普及しているＮＴＳＣ方式の放送信号に対応の液晶表示装置に比べると、相当に解像度が低く画素が大きくなってしまうため、図１０に示すような従来のＯＳ駆動回路をそのまま適用しても、十分な表示応答性を確保することはできない。
【００１４】
本発明は、このような実情に鑑みてなされたものであり、ＰＡＬ方式の放送信号に対応した液晶表示装置であって、画素の大きさ等に適応して十分な表示応答性を確保することができるようなＯＳ駆動回路を有する液晶表示装置を提供しようとするものである。
【課題を解決するための手段】
【００１５】
上記解決課題に鑑みて鋭意研究の結果、本発明者は、ＰＡＬ方式の放送信号に対応した液晶表示装置においては、画素の大きさ等を考慮してＯＳ駆動回路の駆動量を大きめに設定することに想到した。
【００１６】
すなわち、本発明は、ＰＡＬ方式の放送信号を受信し液晶表示パネルに表示する液晶表示装置であって、ユーザの映像調整指示に基づき、入力画像データに対して所定の映像調整処理を施す映像処理手段と、少なくとも１垂直期間前後における前記入力画像データの階調遷移に応じて、前記液晶表示パネルの光学応答特性を補償する強調変換データを求める書込階調決定手段とを備え、前記書込階調決定手段は、前記ユーザによる映像調整指示内容に基づいて、前記強調変換データと前記入力画像データとのいずれか一方を選択的に切換え、表示画像データとして前記液晶表示パネルに供給することを特徴とする液晶表示装置を提供するものである。
【００１７】
本発明の液晶表示装置において、前記液晶表示パネルは、５４０本の画素列を有するマトリックス型の液晶表示パネルであり、前記液晶表示装置は、前記映像処理手段により、ＰＡＬ方式の放送信号として受信される５７６本の走査線を有するインターレース方式の映像信号を受信し、該５７６本の走査線を有するインターレース方式の映像信号を５４０本の走査線を有するプログレッシブ方式の映像信号に変換し、前記液晶表示パネルに表示するものであり、前記書込階調決定手段は、前記液晶表示パネルの画素面積に応じてその光学応答特性を補償する強調変換データを求めることを特徴とする。
【００１８】
本発明の液晶表示装置において、前記液晶表示パネルは、５４０本の画素列を有するマトリックス型の液晶表示パネルであり、前記液晶表示装置は、前記映像処理手段により、ハイビジョン方式の放送信号として受信される１０８０本の走査線を有するインターレース方式の映像信号を受信し、該１０８０本の走査線を有するインターレース方式の映像信号を５４０本の走査線を有するプログレッシブ方式の映像信号に変換し、前記液晶表示パネルに表示するものであり、前記書込階調決定手段は、前記液晶表示パネルの画素面積に応じてその光学応答特性を補償する強調変換データを求めることを特徴とする。
【発明の効果】
【００１９】
以上、説明したように、本発明の液晶表示装置によれば、ＰＡＬ方式の放送信号に対応した液晶表示装置であって、画素の大きさ等に適応して十分な表示応答性を確保することができるようなＯＳ駆動回路を有する液晶表示装置が提供される。
【発明を実施するための最良の形態】
【００２０】
以下、添付図面を参照しながら、本発明の液晶表示装置を実施するための最良の形態を詳細に説明する。図１〜図９は、本発明の実施の形態を例示する図であり、これらの図において、同一の符号を付した部分は同一物を表わし、基本的な構成及び動作は同様であるものとする。また、図１０〜図１２に示す従来技術と同一部分にも同一符号を付しているが、その説明は省略する。
【００２１】
図１は本実施形態の液晶表示装置における概略構成を示すブロック図、図２は本実施形態の液晶表示装置に用いるＯＳテーブルメモリのテーブル内容を示す概略説明図、図３は本実施形態の液晶表示装置に用いる液晶表示パネルの光学応答特性を示す概略説明図である。また、図４は本実施形態の液晶表示装置における映像処理部の一例（輪郭強調補正回路）を示すブロック図、図５は本実施形態の液晶表示装置における映像処理部の他の例（階調補正特性）を示す説明図、図６は本実施形態の液晶表示装置における映像処理部の更に他の例（階調補正特性）を示す説明図である。
【００２２】
本実施形態の液晶表示装置は、図１に示すように、入力画像信号をデジタル信号に変換するＡ／Ｄ変換器１１と、Ａ／Ｄ変換された入力画像データに対して所定の映像調整処理を施す映像処理部１２と、図示しないリモコン（リモートコントローラ）を用いてユーザが入力した指示信号を受信するリモコン受光部１３と、リモコン受光部１３で受信した指示信号を解析して、各処理部を制御する制御ＣＰＵ１４とを備えている。すなわち、ユーザはリモコンを用いて任意の映像調整を指示することにより、制御ＣＰＵ１４が映像処理部１２を制御して、好みの絵作りを行なうことが可能となっている。
【００２３】
また、書込階調決定手段として、フレームメモリ１に格納されている１フレーム前の画像データ（Previous Data）と現フレームの入力画像データ（Current Data）とを入力し、これらの組み合わせ（階調遷移）からＯＳテーブルメモリ（ＲＯＭ）３ａを参照して、対応する強調変換パラメータを読み出し、現フレームの入力画像データに対して液晶表示パネル４の光学応答特性を補償する強調変換データを決定するための強調変換部２に加え、ユーザの映像調整指示に応じて、フレーム（画面）単位で強調変換データと入力画像データとを選択的に切換え、表示画像データとして液晶表示パネル４に出力する切換スイッチ１５を備えている。
【００２４】
ここで、本実施形態におけるＯＳテーブルメモリ（ＲＯＭ）３ａは、図２に示すように、表示信号レベル数すなわち表示データ数が８ビットの２５６階調である場合において、３２階調毎の代表階調遷移パターンについての強調変換パラメータ（実測値）を９×９のマトリクス状に記憶しているものとするが、本発明はこれに限られないことは言うまでもない。
【００２５】
また、本実施形態で用いる液晶表示パネル４は、説明を簡略化するため、図３に示すように、ノーマリーブラックモードであって、黒もしくは低階調から中間階調へ遷移する時間が特に遅いような光学応答特性を有するものとして以下説明するが、本発明はこのような特性に限られず種々の光学応答特性を有する液晶表示パネルに対して適用してもよいことは明らかである。
【００２６】
次に、本実施形態における映像処理部１２の具体例と、各例におけるＯＳ駆動制御について以下詳しく説明する。
【００２７】
（１）輪郭強調補正回路
画像信号の立ち上がりと立ち下がりのエッジ部にプリシュートとオーバーシュートを付加することにより、再生映像の輪郭部を強調して鮮鋭度を増加させるものであり、例えば図４に示すように、エッジ部における輪郭信号を生成する輪郭信号発生回路１６と、輪郭信号の振幅を調整して輪郭強調の度合いを調整するための利得制御回路１７と、振幅調整された輪郭信号を原画像信号に加算する加算器１８とから構成される。
【００２８】
ここで、ユーザからの映像調整指示を受け、制御ＣＰＵ１４から出力される制御信号によって、利得制御回路１７で輪郭信号の振幅を制御することで、エッジ部に付加するプリシュート量、オーバーシュート量を可変して、輪郭強調の度合いを調整することができる。すなわち、ユーザは映像調整によって、入力画像データの周波数特性を調整することで、好みの輪郭強調補正を施して、メリハリのある表示画像を得ることが可能である。
【００２９】
ところで、ユーザが輪郭強調の度合いを調整して、エッジ部に付加するプリシュート量、オーバーシュート量を増大させた場合、このプリシュート、オーバーシュート部分（輪郭強調部分）が強調変換部２によって更に過強調され、画素が白点化したり、不自然な色つきやちらつきなどが発生して、表示画像の画質が劣化する。
【００３０】
そこで、本実施形態においては、ユーザにより所定量以上の輪郭強調が指示された場合、制御ＣＰＵ１４がこれを検出し、表示画像データとして入力画像データをそのまま液晶表示パネル４に出力するよう、切換スイッチ１５を切換制御する。すなわち、ユーザによる輪郭強調補正の指示内容に基づいて、切換スイッチ１５を切換制御することにより、強調変換部２からの強調変換データと入力画像データとのいずれか一方を選択的に切換え、表示画像データとして液晶表示パネル４に供給する。
【００３１】
以上のとおり、ユーザが輪郭強調を強く効かせる指示を行なうと、これに連動して、ＯＳ駆動をオフ（停止）制御し、表示画像データとして入力画像データをそのまま液晶表示パネル４に出力するので、輪郭強調部分の過強調による、画素の白点化や不自然な色つき、ちらつきなどの発生を抑制して、高画質の画像表示を実現することが可能となる。
【００３２】
（２）黒伸張補正回路
画像信号の低階調側を伸張して、低階調側の階調再現性を向上させるものであり、例えば図５に示すような入出力特性（階調変換特性）を持つ演算器、ＬＵＴテーブル（ＲＯＭ）などを切換可能に構成することで実現される。また、この黒伸張補正は、メニュー設定画面において、ユーザが「映画モード」を選択設定することでも、オン動作される。
【００３３】
ここで、ユーザが映像調整により黒伸張補正を施して、低階調側の階調再現性を向上させた表示画像に調整（図５の実線で示す特性を選択）した場合、入力画像データは黒もしくは低階調側に多く分布することになり、これは液晶応答速度の遅い階調遷移パターンが多く出現することを意味する。すなわち、図３に示したハッチング領域内で階調遷移が発生する可能性が高く、従って、ＯＳ駆動（強調変換処理）を行なっても液晶応答速度の改善があまり見られず、逆に前フレームが目標階調に到達していないにも拘らず目標階調に達していることを前提に強調変換部２で強調変換データを決定してしまうため、本来表示すべき階調と異なる階調が表示され、このような階調遷移が繰り返される場合、画素の白化や黒化が発生して、表示画像の画質が劣化する。
【００３４】
そこで、本実施形態においては、ユーザにより所定量以上の黒伸張補正が指示された場合、制御ＣＰＵ１４がこれを検出し、表示画像データとして入力画像データをそのまま液晶表示パネル４に出力するよう、切換スイッチ１５を切換制御する。すなわち、ユーザによる黒伸張補正（映像ソース選択）の指示内容に基づいて、切換スイッチ１５を切換制御することにより、強調変換部２からの強調変換データと入力画像データとのいずれか一方を選択的に切換え、表示画像データとして液晶表示パネル４に供給する。
【００３５】
以上のとおり、ユーザが黒伸張補正の指示を行なうと、これに連動して、ＯＳ駆動をオフ（停止）制御し、表示画像データとして入力画像データをそのまま液晶表示パネル４に出力するので、黒伸張補正の結果、液晶表示パネル４の応答速度が遅い階調遷移パターンが繰り返し出現することによる、画素の白化や黒化などの発生を抑制して、高画質の画像表示を実現することが可能となる。
【００３６】
尚、白伸張補正の指示がなされた場合は、液晶表示パネル４の応答速度が遅い階調遷移パターンが繰り返し出現する可能性は低減するため、ＯＳ駆動をオン制御し、表示画像データとして強調変換部２にて強調処理された強調変換データを液晶表示パネル４に供給すれば良いことは明らかである。
【００３７】
（３）黒レベル補正回路
画像信号の黒レベルを補正することにより、表示画像の明るさを調整するものであり、例えば図６に示すような入出力特性（階調変換特性）を持つ演算器、ＬＵＴテーブル（ＲＯＭ）などを切換可能に構成することで実現される。尚、この黒レベル補正は、一般的にユーザがメニュー設定画面において調整可能な「ブライトネス調整」と同様のものである。
【００３８】
ここで、ユーザが映像調整により黒レベル補正を施して、全体的に暗い表示画像に調整（図６の一点鎖線で示す特性を選択）した場合、入力画像データは黒もしくは低階調側に多く分布することになり、これは液晶応答速度の遅い階調遷移パターンが多く出現することを意味する。すなわち、図３に示したハッチング領域内で階調遷移が発生する可能性が高く、従って、ＯＳ駆動（強調変換処理）を行なっても液晶応答速度の改善があまり見られず、逆に前フレームが目標階調に到達していないにも拘らず目標階調に達していることを前提に強調変換部２で強調変換データを決定してしまうため、本来表示すべき階調と異なる階調が表示され、このような階調遷移が繰り返される場合、画素の白化や黒化が発生して、表示画像の画質が劣化する。
【００３９】
そこで、本実施形態においては、ユーザにより所定量以上の黒レベル補正が指示された場合、制御ＣＰＵ１４がこれを検出し、表示画像データとして入力画像データをそのまま液晶表示パネル４に出力するよう、切換スイッチ１５を切換制御する。すなわち、ユーザによる黒レベル補正（ブライトネス調整）の指示内容に基づいて、切換スイッチ１５を切換制御することにより、強調変換部２からの強調変換データと入力画像データとのいずれか一方を選択的に切換え、表示画像データとして液晶表示パネル４に供給する。
【００４０】
以上のとおり、ユーザが黒レベル補正の指示を行なうと、これに連動して、ＯＳ駆動をオフ（停止）制御し、表示画像データとして入力画像データをそのまま液晶表示パネル４に出力するので、黒レベル補正の結果、液晶表示パネル４の応答速度が遅い階調遷移パターンが繰り返し出現することによる、画素の白化や黒化などの発生を抑制して、高画質の画像表示を実現することが可能となる。
【００４１】
尚、黒レベル補正（ブライトネス調整）により全体的に明るい表示画像に調整（図６の実線で示す特性を選択）された場合は、液晶表示パネル４の応答速度が遅い階調遷移パターンが繰り返し出現する可能性は低減するため、ＯＳ駆動をオン制御し、表示画像データとして強調変換部２にて強調処理された強調変換データを液晶表示パネル４に供給すれば良いことは明らかである。
【００４２】
上述したとおり、本実施形態の液晶表示装置によれば、入力画像データの周波数特性或いは階調特性に対しユーザにより指示される映像調整内容に応じて、強調変換部２で強調変換処理が施された強調変換データと入力画像データとを切換選択して、表示画像データとして液晶表示パネル４に出力するようにしているので、映像調整結果によって生じるオーバーシュート駆動の弊害をキャンセルして、表示画像の画質劣化を抑制することが可能となる。
【００４３】
尚、上記実施形態においては、強調変換部２とＯＳテーブルメモリ（ＲＯＭ）３ａとで書込階調決定手段を構成しているが、ＯＳテーブルメモリ３ａを設ける代わりに、例えば遷移前の階調と遷移後の階調とを変数とする２次元関数ｆ（ｐｒｅ，ｃｕｒ）により、液晶表示パネル４の光学応答特性を補償する強調変換データを求める構成としても良い。
【実施例】
【００４４】
上記した本発明の液晶表示装置をＰＡＬ方式の対応の液晶表示装置において実施する例を以下に示す。本実施例は、ＰＡＬ方式の映像ソースを表示可能なマトリックス型表示装置に関するものである。
【００４５】
図７は、本実施例によるＰＡＬ方式の映像ソース用の液晶映像表示装置の構成の主要部を示す図である。この映像表示装置は、複数の映像ソースからの映像信号を切り替えて入力する入力切換部１０１と、アナログ信号をデジタル信号に変換するＡＤコンバータ１０２と、映像信号変換用メモリ１０３と、スケーリング、ＩＰ変換等の映像信号変換処理を行う映像信号変換部１０４と、画質強調補正処理を行う画質強調補正部１０５と、オンスクリーン信号を制御するＯＳＤ制御部１０６と、オンスクリーン信号を混合するＯＳＤ混合部１０７と、γ補正を行うγ補正部１０８と、液晶パネルを制御する液晶コントローラ１０９と、液晶パネル２００と、ゲートドライバ２０１と、ソースドライバ２０２とを有する。
【００４６】
画質強調補正部１０５は、上記実施形態における書込階調決定手段に相当するものを含んでおり、映像信号変換部１０４から出力された映像信号に対してＯＳ駆動を制御することにより、ＰＡＬ方式の映像ソース用の液晶映像表示装置において、画素の大きさ等を考慮した適切なＯＳ駆動を行うことができる。
【００４７】
以下に、本実施例において映像信号変換部１０４が行う映像信号変換処理について説明する。
【００４８】
図８を参照してＰＡＬ方式の標準（ＳＤ）映像信号の映像信号変換処理を説明する。図８Ａは、走査線数が５７６本のインターレース方式の映像信号、即ち、５７６ｉ映像信号を模式的に表示したものである。図８Ｂは、１６：９型の欧州規格の表示パネル（９６０ドット×５４０ドット）の画素列を模式的に表示したものであり、これを、以下、単に、ワイドユーロパネルと称する。
【００４９】
先ず、図８Ａの５７６ｉ映像信号を、図８Ｃに示す、走査線が５７６本のプログレッシブ信号に変換する。こうして生成された信号を、以下、単に、５７６ｐ信号と称する。ここで、片フィールドの１ラインの信号を２ラインの信号に増やす処理をして、インターレース信号をプログレッシブ信号に変換している。従って、フィールド間のスケーリングはしていない。
【００５０】
次に、図８Ｃの５７６ｐ信号を、図８Ｄに示す、走査線が５４０本のプログレッシブ信号に変換する。こうして生成された信号を、以下、単に、５４０ｐ信号と称する。ここで、走査線が５７６本から５４０本に減少しているのは、６．２５％のオーバスキャン分カットを行ったためであり、スケーリングはしていない。５４０ｐ信号の走査線は、５４０本であるから、５４０行の画素列を有するワイドユーロパネルに表示することができる。尚、５７６ｉ映像信号は４：３型であるから、それを１６：９型のワイドユーロパネルに表示するには、水平方向のスケーリングが必要である。
【００５１】
図９を参照してハイビジョン（ＨＤ）映像信号の映像信号変換を説明する。図９Ａは、走査線数が１０８０本のインターレース方式の映像信号、即ち、１０８０ｉ映像信号を模式的に表示したものである。図９Ｂは、図８Ｂに示した、１６：９型の欧州規格のワイドユーロパネル（９６０ドット×５４０ドット）の画素列を模式的に表示したものである。
【００５２】
先ず、図９Ａの１０８０ｉ映像信号を、図９Ｃに示す、走査線が５４０本のプログレッシブ信号、即ち、５４０ｐ信号に変換する。ここで、走査線が１０８０本から５４０本に減少しているのは、片フィールドの信号をそのまま利用しているためである。５４０ｐ信号の走査線は、５４０本であるから、５４０行の画素列を有するワイドユーロパネルに表示することができる。尚、１０８０ｉ映像信号は１６：９型であるから、それを１６：９型のワイドユーロパネルに表示するには、水平方向のスケーリングは不要である。
【００５３】
以上説明した本実施例のマトリックス型表示装置の映像信号変換部１４では、ＰＡＬ方式の標準（ＳＤ）映像信号をワイドユーロパネルに表示する場合、図８Ａの５７６ｉ映像信号を図９Ｃの５７６ｐ信号にＩＰ変換し、それを、図８Ｄの５４０ｐ信号に変換するだけである。即ち、オーバスキャンと水平方向のスケーリングを行うが、フィールド間のスケーリングは行わない。ハイビジョン（ＨＤ）映像信号をワイドユーロパネルに表示する場合、図９Ａの１０８０ｉ映像信号を図９Ｃの５４０ｐ信号に変換するだけである。即ち、片フィールドの信号をそのまま使うだけで、オーバスキャンと水平方向のスケーリングは行わない。従って、本実施例では、フィールドメモリは必要ないため、映像信号変換用メモリ１３の容量を小さくすることができる。さらに、回路規模が小さくできるため、消費電力も低くでき、環境に優しい製品とすることができる。
【００５４】
以上、本発明の液晶表示装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００５５】
【図１】本発明の液晶表示装置の一実施形態における概略構成を示すブロック図である。
【図２】本発明の液晶表示装置の一実施形態に用いるＯＳテーブルメモリのテーブル内容を示す概略説明図である。
【図３】本発明の液晶表示装置の一実施形態に用いる液晶表示パネルの光学応答特性を示す概略説明図である。
【図４】本発明の液晶表示装置の一実施形態における映像処理部の一例（輪郭強調補正回路）を示すブロック図である。
【図５】本発明の液晶表示装置の一実施形態における映像処理部の他の例（階調補正特性）を示す説明図である。
【図６】本発明の液晶表示装置の一実施形態における映像処理部の更に他の例（階調補正特性）を示す説明図である。
【図７】本発明の実施例として、ＰＡＬ方式の映像ソース用の液晶映像表示装置の構成の主要部を示す図である。
【図８】本発明の実施例として、ＰＡＬ方式の標準（ＳＤ）映像信号の映像信号変換処理の方法を示す図である。
【図９】本発明の実施例として、ハイビジョン（ＨＤ）映像信号の映像信号変換処理の方法を示す図である。
【図１０】従来の液晶表示装置におけるオーバーシュート駆動回路の概略構成を示すブロック図である。
【図１１】オーバーシュート駆動回路に用いるＯＳテーブルメモリにおけるテーブル内容の一例を示す概略説明図である。
【図１２】液晶に加える電圧と液晶の応答との関係を示す説明図である。
【符号の説明】
【００５６】
１  フレームメモリ
２、３２、４２  強調変換部
３ａ〜３ｄ  テーブルメモリ（ＲＯＭ）
４  液晶表示パネル
１１  Ａ／Ｄコンバータ
１２  映像処理部
１３  リモコン受光部
１４  制御ＣＰＵ
１５  切換スイッチ
１６  輪郭信号発生回路
１７  利得制御回路
１８  加算器
２１  減算器
２２  乗算器
２３  加算器
１００  液晶表示装置
１０１  入力切換部
１０２  ＡＤコンバータ
１０３  映像信号変換用メモリ
１０４  映像信号変換部
１０５  画質強調補正部
１０６  ＯＳＤ制御部
１０７  ＯＳＤ混合部
１０８  γ補正部
１０９  液晶コントローラ
２００  表示パネル
２０１  ゲートドライバ
２０２  ソースドライバ
【図１】
2006174272.tif 000003
【図２】
2006174272.tif 000004
【図３】
2006174272.tif 000005
【図４】
2006174272.tif 000006
【図５】
2006174272.tif 000007
【図６】
2006174272.tif 000008
【図７】
2006174272.tif 000009
【図８】
2006174272.tif 000010
【図９】
2006174272.tif 000011
【図１０】
2006174272.tif 000012
【図１１】
2006174272.tif 000013
【図１２】
2006174272.tif 000014